(57)【特許請求の範囲】
【請求項１】
所定深度の根代底部に設置され、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されている独立基礎体と、この独立基礎体における基礎鋼材の間に埋設されたコンクリートとから構成されることを特徴とする独立基礎。
【請求項２】
所定深度の根代を掘削し、該根代の底部上に、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されている独立基礎体を設置し、基礎鋼材の先端における底部に配置されたレベラーにより独立基礎体のレベル調整を行った後に基礎鋼材の間にコンクリートを埋設して埋め戻すことを特徴とする独立基礎の施工法。
【請求項３】
所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されていることを特徴とする独立基礎体。
【発明の詳細な説明】
【０００１】
【発明の属する技術分野】
本発明は、独立基礎とその施工法及び独立基礎体に関し、特に立体駐車場等の柱を支持する基礎であって、十文字に配置した所定長の鋼材とその間に一体に埋設したコンクリートとによって柱を支持する独立基礎とその施工法及び独立基礎体に関する。
【０００２】
【従来の技術】
建築物の基礎は、要求される耐荷重や地盤面の状況に応じて各種の形態が選択されるが、立体駐車場等の柱４０は、図７に示すようなべた基礎４１や図８に示す基礎梁４２を選択していることが多い。
【０００３】
これらの基礎は、荷重を受ける部材としてコンクリートと鉄筋を用いるものであるから、鉄筋の配筋に手間が掛かると共に、基礎上に設置する柱を固定するためのアンカーボルトの正確な設定も困難を伴う作業である。又、基礎を施工するための根代を掘削する深さにおいても相当の深度を必要とし、併せて鉄筋を配筋するために根代の範囲も相当の巾を必要としていた。
【０００４】
さらに、このような掘削は、作業の手間や残土処理の経費も大きな負担を発生させるものであり、隣接地との境界問題についても解決の困難な課題になっていた。
【０００５】
【発明が解決しようとする課題】
本発明は、上記の問題を解決するために提案するものであり、基礎を簡潔な独立体にし、独立基礎用の根代の掘削や残土処理を容易にして、柱の設置を簡素にし、隣接問題も発生させない独立基礎とその施工法及び独立基礎体を提供している。
【０００６】
【課題を解決するための手段】
本発明による独立基礎は、所定深度の根代底部に設置され、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されている独立基礎体と、この独立基礎体における基礎鋼材の間に埋設されたコンクリートとから構成されることを特徴としている。
【０００７】
これによって、独立基礎体の構成を簡潔にして柱の接合も容易にしながらコンクリートと協調させることで、基礎としての支持耐力を確保すると共に柱間を結合するべた基礎や基礎梁を省略して施工コストの低減と工期の短縮を図れる機能を発揮している。
【０００８】
本発明による独立基礎の施工法は、上記の独立基礎を施工するものであって、所定深度の根代を掘削し、該根代の底部上に、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されている独立基礎体を設置し、基礎鋼材の先端における底部に配置されたレベラーにより独立基礎体のレベル調整を行った後に基礎鋼材の間にコンクリートを埋設して埋め戻すことを特徴としている。
【０００９】
これによって、根代の掘削を容易にし、別途に作成してある独立基礎体を根代の底部上に配置してコンクリートを埋設するだけの簡素な施工によって基礎を容易に安価な経費で造成できる機能を発揮している。
【００１０】
本発明による独立基礎体は、上記の独立基礎に用いるものであって、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されることで構成されており、工場で別途に製作したものを現場に持ち込むだけで独立基礎を容易に安価にして迅速に施工できる機能を発揮している。
【００１１】
【発明の実施の形態】
本発明による独立基礎は、所定深度の根代底部に設置され、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されている独立基礎体と、この独立基礎体における基礎鋼材の間に埋設されたコンクリートとから構成されることを特徴としている。以下に、本発明の実施の形態を図面に基づいて詳細に説明する。尚、ここでは本来のＨ鋼材を用いた独立基礎体の場合について述べているが、先端に向かって上フランジに勾配を付けた形状のＨ鋼材を用いた独立基礎体の場合も、鋼材の形状が異なるだけでそれ以外は同様である。
【００１２】
図１は、本発明の比較対象としての独立基礎の斜視図であり、部分的に断面にすることで理解を容易にしている。
【００１３】
図において、独立基礎１は、独立基礎体２、独立基礎体２を構成している基礎鋼材の間に埋設されたコンクリート３から構成されており、地盤４に掘削された根代５に設置されている。
【００１４】
独立基礎１は、図示のように所定長のＨ鋼材を十文字に配置した基礎鋼材６と基礎鋼材６の先端７の間を接続する繋ぎ材８及び基礎鋼材６と繋ぎ材８の下部に一体に接合された金網９から構成することで、簡潔にしており、基礎鋼材６と柱との接合も容易にしている。
【００１５】
又、コンクリート３は、十文字に配置した基礎鋼材６の間と基礎鋼材６と繋ぎ材８の下部に在る金網９の上に埋設されており、基礎鋼材６とコンクリート３とを金網９を介在させた協調状態を形成させることで、基礎としての支持耐力を一体になって確保し、柱間を結合するべた基礎や基礎梁を省略して施工コストの低減と工期の短縮を図っている。
【００１６】
図２は、図１の独立基礎を拡大して示す実施の形態であって、平面図（ａ）と独立基礎のコンクリートをも模擬線で示す側面図（ｂ）を以て表示している。
【００１７】
独立基礎１を構成している独立基礎体１０は、図２（ａ）に見られるように、所定長のＨ鋼材１１を十文字に配置して基礎鋼材１２を構成している。基礎鋼材１２の先端１３の間には繋ぎ材１４を接続しており、基礎鋼材１２の十文字形態の補強を図ると共に、基礎版を構成する金網１５の支持部材としても機能している。
【００１８】
基礎鋼材１２の上面中央部１６には、支持する柱１７の取付板１８が配備されており、柱１７の底部に設けたフランジ１９に対応させてボルト２０をねじ込むボルト孔をその四隅に形成してある。
【００１９】
基礎鋼材１２と繋ぎ材１４の下部には、これらと一体に基礎版を構成する金網１５から成る基礎版を溶接で接合している。金網１５は、図２（ｂ）に示すように、独立基礎１の施工時に埋設されるコンクリートとの結合を強固にするために十文字に配置したＨ鋼材１１の間に補強体として形成されるものであり、基礎鋼材１２や繋ぎ材１４と一体になって、実質的に独立基礎１の底版を構成している。
【００２０】
従って、柱からの上載荷重は、底版を構成している基礎鋼材１２や繋ぎ材１４及びコンクリート３が一体になって支持地盤に伝達されることになり、独立基礎１は充分な支持耐力を発揮するものである。
【００２１】
基礎鋼材１２の先端１３における底部には、レベラー２２が配置されており、図示のように、根代の底部に形成された捨てコンクリート２１の上面に独立基礎体１０を配置した後に、これを調整することによって独立基礎体１０の傾きや高さを正確な形態に設定している。
【００２２】
尚、この独立基礎体１０では基礎版を金網で構成しているが、基礎版は、上述したようにコンクリートの鉄筋としての役割を果たすものであるから、金網に限定されることなくエキスパンドメタルや複数の孔を有する平板及び簀の子状の鋼材であっても採用することが出来るものである。
【００２３】
又、この独立基礎１では、根代の底部に形成された地盤の上に直接捨てコンクリートを打設して地耐力を確保しているが、必要な場合には、根代底部の地盤を地盤改良することによって地耐力の向上を図ることも意図されている。
【００２４】
次に、本発明による独立基礎体について詳細に説明する。本発明による独立基礎体は、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されることで構成されており、工場で別途に製作したものを現場に持ち込むだけで独立基礎を容易に安価にして迅速に施工できる機能を発揮している。
【００２５】
以下に、本発明による独立基礎体の実施の形態を図面に基づいて詳細に説明するが、ここでは比較のために本来のＨ鋼材を用いた場合も併せて述べることとする。
【００２６】
図３，４は、独立基礎体を示すものであって、それぞれに平面図（ａ）と側面図（ｂ）を以て表示しており、上記図面と同様の部材については、理解を容易にするために同一の符号によって表示している。
【００２７】
図３は、図２で説明した独立基礎体の実施の形態と同様であり、独立基礎体１０は、図示のように、所定長のＨ鋼材１１を十文字に配置して基礎鋼材１２を構成している。
【００２８】
基礎鋼材１２の先端１３の間には繋ぎ材１４を接続しており、基礎鋼材１２の十文字形態の補強を図ると共に、金網１５の支持部材の役を果たしている。
【００２９】
基礎鋼材１２の上面中央部１６には、支持する柱１７の取付板１８が配備されており、柱１７の底部に設けたフランジ１９に対応させてボルト孔をその四隅に形成してある。
【００３０】
基礎鋼材１２と繋ぎ材１４の下部に溶接で接合されている金網１５は、基礎鋼材１２や繋ぎ材１４と一体となって、コンクリートと共に独立基礎１の底版を構成している。
【００３１】
基礎鋼材１２の先端１３には、レベラー２２が配備されており、独立基礎体１０の傾きや高さを正確な形態に設定するために調整可能にしている。
【００３２】
図４は、本発明に係る独立基礎体の実施の形態であり、独立基礎体２５は、図示のように、所定長のＨ鋼材２６を十文字に配置して基礎鋼材２７を構成している。
【００３３】
所定長のＨ鋼材２６は、本来のＨ鋼材を加工してその先端２８に向かって勾配を付けた形状に構成されるものであり、これによって、独立基礎体２５を配置する根代の掘削深さを浅くすることを可能にしている。
【００３４】
即ち、図３に示した独立基礎体１０では、十文字に配置した基礎鋼材１２の先端と上面中央部１６とが同一の高さにあるので、掘削深度の浅い根代に独立基礎体１０を配置する場合には、独立基礎体１０の十文字を配置した基礎鋼材１２の先端と上面中央部１６とが共に地表面に露出することになって、基礎としては危険度の高い構成になって好ましくない。
【００３５】
このために、独立基礎体１０の場合には、仮に上載荷重が許容される値以下であっても、根代の掘削深さを浅くすることは困難になる。
【００３６】
しかるに、独立基礎体２５を配置する場合には、掘削深度の浅い根代に設置したとしても、独立基礎体２５の上面中央部２９を地表面に露出させながら、その先端２８は根代の内部に埋没したままであり、基礎としては何らの問題も発生させない構成にすることができる。
【００３７】
従って、独立基礎体２５を採用する実施の形態では、根代の掘削作業の手間や残土処理の経費をさらに低減できることになる。
【００３８】
尚、独立基礎体２５のその他の構成に関しては、図３で説明した実施の形態と殆ど同様であることから、その説明を省略する。
【００３９】
本発明による独立基礎の施工法は、上記の独立基礎を施工するものであって、所定深度の根代を掘削し、該根代の底部上に、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されている独立基礎体を設置し、基礎鋼材の先端における底部に配置されたレベラーにより独立基礎体のレベル調整を行った後に基礎鋼材の間にコンクリートを埋設して埋め戻すことで構成されており、根代の掘削を容易にし、別途に作成してある独立基礎体を根代の底部上に配置してコンクリートを埋設するだけの簡素な施工によって基礎を容易に安価な経費で造成できる機能を発揮している。
【００４０】
以下に、本発明による独立基礎の施工法に関する実施の形態を図面に基づいて詳細に説明する。
【００４１】
図５は、本発明による独立基礎の施工法をその前半の工程に従って説明しており、根代の掘削工程（ａ）、捨てコンクリートの施工工程（ｂ）を示している。
【００４２】
同様に図６は、次工程の独立基礎体の設置工程（ａ）、コンクリートの打設工程（ｂ）及び柱の設置工程（ｃ）を示しており、工事を完了している。この図６では、図２に示した独立基礎体２を設置する場合を示しているが、その手順は図４に示した本発明の独立基礎体２５についても同様である。
【００４３】
図５（ａ）は、本発明による独立基礎を設置するために施工する根代の掘削工程であり、地盤４には正方形状で所定の深さに根代５が掘削されている。
【００４４】
根代５の掘削後は、必要な場合には地盤改良も施工するが、通常の場合にはランマー等で整地するか、割栗石３０を敷設した後にランマーで突き固める等の作業を施している。
【００４５】
図５（ｂ）は、捨てコンクリートの施工工程であり、ランマー等で整地した後に捨てコンクリート３１を施工している。
【００４６】
捨てコンクリート３１は、以降の作業のために基準線を罫引くことと、独立基礎体の設置精度を確保するために行うものであり、その作業は通常通りである。
【００４７】
図６（ａ）は、図５で説明した上記工程に次いで、独立基礎体を設置する工程である。
【００４８】
本工程では、工場において別途に製作されている独立基礎体２が、現場に搬入されて掘削済みの根代５に配置されるだけであるから、従来のように基礎の配筋をする作業も無いので、その作業は極めて簡潔にして安価で迅速な形態で実施される。
【００４９】
従って、本発明の施工法は、これ以降のレベル調整も含めて施工効率を大幅に向上させることを可能にしており、施工コストの低減も達成できるものである。図６（ｂ）では、コンクリートを打設する工程を示している。
【００５０】
本発明におけるコンクリート３の埋設は、それ自体で基礎を形成するためのものではなく、独立基礎とコンクリートとが金網を介在させた協調状態を形成させるために、十文字に配置した基礎鋼材１２の間に打設されることで底版として形成されるものであり、基礎鋼材１２や繋ぎ材１４と一体になって、独立基礎１の底版を構成していると同等である。
【００５１】
従って、レベル調整後のコンクリート埋設は、基礎鋼材１２のほぼ１／２程度に打設することで充分であり、その上には掘削していた土壌を埋め戻して基礎部分の工事が完了に到っている。
【００５２】
図６（ｃ）は、柱の設置工程であり、基礎工事を完了させている。図示のように、土壌を埋め戻した後の地表面には、基礎鋼材１２の上面中央部１６に配備された取付板１８のみが露出している。
【００５３】
柱１７は、その底部に設けたフランジ１９を取付板１８に設置させてボルト２０によって所定の位置に固定されており、簡潔な工程で柱工事を完了させている。
【００５４】
以上の各工程で明らかなように、本発明による独立基礎の施工法は、根代の掘削が容易であって、基礎工事も別途に作成してある独立基礎体を根代の底部上に配置してコンクリートを埋設するだけの簡素な施工で遂行できることから、所望の独立基礎を極めて容易に造成できるものである。
【００５５】
以上、本発明を実施の形態に基づいて詳細に説明してきたが、本発明は、上記実施の形態に何ら限定されるものではなく、その適用範囲、基礎鋼材や繋ぎ材の形状、基礎版の種類等に関して、本発明の趣旨を逸脱しない範囲において種々の変更が可能であることは当然のことである。
【００５６】
【発明の効果】
本発明による独立基礎は、所定深度の根代底部に設置され、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されている独立基礎体と、この独立基礎体における基礎鋼材の間に埋設されたコンクリートとから構成されているので、以下の効果を発揮している。
１）独立基礎の構成を簡潔にして柱との接合も容易にしている。
２）基礎としての支持耐力を確保して柱間を結合するべた基礎や基礎梁を省略している。
３）施工コストの低減と工期の短縮図っている。
４）根代の掘削深さを浅くすることを可能にしている。
【００５７】
本発明による独立基礎の施工法は、上記の独立基礎を施工するものであって、所定深度の根代を掘削し、該根代の底部上に、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されている独立基礎体を設置し、基礎鋼材の先端における底部に配置されたレベラーにより独立基礎体のレベル調整を行った後に基礎鋼材の間にコンクリートを埋設して埋め戻しているので、根代の掘削を容易にし、別途に作成してある独立基礎体を根代の底部上に配置してコンクリートを埋設するだけの簡素な施工によって基礎を容易に安価な経費で造成できる効果発揮している。
【００５８】
本発明による独立基礎体は、上記の独立基礎に用いるものであって、所定長のＨ鋼材を十文字に配置した基礎鋼材、基礎鋼材の先端間を接続する繋ぎ材及び基礎鋼材と繋ぎ材の下部に一体に接合され複数の穴を有する基礎版から成り、Ｈ鋼材は先端に向かって上フランジに勾配が付いて高さが小さくなっているとともに、基礎鋼材の先端における底部にレベラーが配置されることで構成されているので、工場で別途に製作したものを現場に持ち込むだけで独立基礎を容易に安価にして迅速に施工できる効果を発揮している。
【図面の簡単な説明】
【図１】  本発明の比較対象としての独立基礎の斜視図
【図２】  図１の独立基礎を拡大して示す実施の形態図
【図３】  独立基礎体の実施の形態図
【図４】  本発明に係る独立基礎体の実施の形態図
【図５】  本発明による独立基礎の施工法における地盤の施工図
【図６】  本発明による独立基礎の施工法における独立基礎の施工図
【図７】  従来のべた基礎図
【図８】  従来の基礎梁図
【符号の説明】
１  独立基礎、  ２  独立基礎体、  ３  コンクリート、  ４  地盤、  ５  根代、  ６  基礎鋼材、  ７  先端、  ８  繋ぎ材、  ９  金網、  １０  独立基礎体、  １１  Ｈ鋼材、  １２  基礎鋼材、  １３  先端、  １４  繋ぎ材、  １５  金網、  １６  上面中央部、  １７  柱、  １８  取付板、  １９  フランジ、  ２０  ボルト、  ２１  捨てコンクリート、  ２２  レベラー、  ２５  独立基礎体、  ２６  Ｈ鋼材、  ２７  基礎鋼材、  ２８  先端、  ２９  上面中央部、  ３０  割栗石、  ３１  コンクリート、  ４０  柱、  ４１  べた基礎、  ４２  基礎梁
【図１】
0003658336.tif 000002
【図２】
0003658336.tif 000003
【図３】
0003658336.tif 000004
【図４】
0003658336.tif 000005
【図５】
0003658336.tif 000006
【図６】
0003658336.tif 000007
【図７】
0003658336.tif 000008
【図８】
0003658336.tif 000009